(57)【要約】【課題】ディスプレイ本体に触れることなく左右方向の回転移動が可能であり、また前後方向の回転移動を実現することで、微妙な角度調節を可能にしたディスプレイ操作装置を提供する。【解決手段】テレビ等のディスプレイの視聴角度を調節するディスプレイ操作装置１である。この操作装置の操作装置本体３内に、クロスさせた二本のアームにて、ディスプレイ保持具に保持されたディスプレイの向きを変えるアーム機構１０と、アーム機構１０を可動させるアーム回動部２０と、を備える。【選択図】図１
2009118047.tif 000002
【特許請求の範囲】
【請求項１】
テレビ等のディスプレイの視聴角度を調節するディスプレイ操作装置において、該操作装置の操作装置本体内に、クロスさせた二本のアームにて、ディスプレイ保持具に保持されたディスプレイの向きを変えるアーム機構と、該アーム機構を可動させるアーム回動部と、を備えることを特徴とするディスプレイ操作装置。
【請求項２】
前記アーム機構が、アーム回動部により左右方向に回転する第一アーム体と、該第一アーム体にクロスされた状態で配設される第二アーム体と、前記第一アーム体と第二アーム体の先端に装着されたディスプレイ保持具と、を有する請求項１記載のディスプレイ操作装置。
【請求項３】
前記アーム回動部が、第一アーム体の基端に固定された駆動軸と、該駆動軸の先端を摺動させる長孔を形成した操作材と、該操作材を固定する移動板と、該移動板を左右方向に移動させる操作レバーと、を有する請求項１または２記載のディスプレイ操作装置。
【請求項４】
前記操作レバーが、操作装置本体の両側面に配置されている請求項３記載のディスプレイ操作装置。
【請求項５】
前記アーム回動部が、モータと、該モータの回転を第一アーム体に伝える連結ギヤと、を備える自動回動部である請求項１または２記載のディスプレイ操作装置。
【請求項６】
前記ディスプレイ保持具に、前後方向の回転移動が可能な角度調節具を設置した請求項１〜５のうちいずれか一項記載のディスプレイ操作装置。
【発明の詳細な説明】
【技術分野】
【０００１】
本発明は、テレビ等のディスプレイを装着し、その視聴角度を操作することのできるディスプレイ操作装置に関し、詳しくは、視聴する角度を容易に、かつ、自在に調整することができるディスプレイ操作装置に関する。
【背景技術】
【０００２】
病室や事務所、また教室や公共施設等において、テレビ等のディスプレイが設置されている場合がよくある。例えば、病院の病室のベッドサイドには、備品や消耗品等が収納可能なキャビネットが備え付けられており、かかるキャビネットの上部または内部に、通常、有料もしくは無料で視聴できるテレビディスプレイが装着されている。
【０００３】
通常のディスプレイは、キャビネットに一体的に固定されており、キャビネット全体を移動させることでディスプレイの角度を調節していた。また、左右方向に回転可能な回転盤を底部に配設させ、ディスプレイ自体を移動可能としたものもある。
【０００４】
また、従来、利用者にとってテレビの視聴が容易になると共に、テーブル面を有効利用できる収納台及びこれに用いるテレビ設置具提案されている（例えば、特許文献１参照）。特許文献１記載の収納台は、収納部の上部にテーブル面を有すると共に、当該テーブル面の上方にテレビが設置可能な収納台であり、この収納台は、テレビを前記テーブル面に沿って回転移動に一端部にて保持するアーム機構と、このアーム機構の他端部を前記テーブル面に沿ってスライド移動可能に支持して収納台の所定箇所に設置されるスライド機構と、を備えていることが開示されている。
【０００５】
また、特許文献１には、収納台に形成されたテーブル面の上方に、テレビを設置するために用いるテレビ設置具も示されており、このテレビ設置具は、テレビを前記テーブル面に沿って回転移動可能に一端部にて保持するアーム機構と、このアーム機構の他端部を前記テーブル面に沿ってスライド移動可能に支持して前記テーブル面上の背面側に設置されるスライド機構と、このスライド機構を内部に収納するボックスと、を備えていることが開示されている。
【特許文献１】特開２００７−１２４０２４号公報
【発明の開示】
【発明が解決しようとする課題】
【０００６】
しかしながら、病院等のキャビネットに具備されているテレビは、通常、キャビネット全体を移動させてテレビの視聴角度を調節しなければならなかった。また、回転盤を配設した場合でも、テレビ本体に直接触れて角度を変える必要があり、身体の不自由な人にとっては使用勝手が悪く、微妙な角度調節も困難であった。
【０００７】
さらに、特許文献１記載の収納台等の構造においても、テレビ本体に直接触れて角度を変える必要があると共に、前後方向の回転移動（上下の首振）をすることができず、微妙な角度調節を行うことは困難であった。
【０００８】
そこで本発明の目的は、前記課題を解消して、ディスプレイ本体に触れることなく左右方向の回転移動が可能であり、また前後方向の回転移動を実現することで、微妙な角度調節を可能にしたディスプレイ操作装置を提供することにある。
【課題を解決するための手段】
【０００９】
前記課題を解決するために本発明のディスプレイ操作装置は、テレビ等のディスプレイの視聴角度を調節するディスプレイ操作装置において、該操作装置の操作装置本体内に、クロスさせた二本のアームにて、ディスプレイ保持具に保持されたディスプレイの向きを変えるアーム機構と、該アーム機構を可動させるアーム回動部と、を備えることを特徴とするものである。
【００１０】
本発明のディスプレイ操作装置においては、前記アーム機構が、アーム回動部により左右方向に回転する第一アーム体と、該第一アーム体にクロスされた状態で配設される第二アーム体と、前記第一アーム体と第二アーム体の先端に装着されたディスプレイ保持具と、を有するもとすることができる。また、前記アーム回動部が、第一アーム体の基端に固定された駆動軸と、該駆動軸の先端を摺動させる長孔を形成した操作材と、該操作材を固定する移動板と、該移動板を左右方向に移動させる操作レバーと、を有するものとすることができ、前記操作レバーを、操作装置本体の両側面に配置することができる。あるいは、前記アーム回動部を、モータと、該モータの回転を第一アーム体に伝える連結ギヤと、を備える自動回動部とすることもできる。さらに、前記ディスプレイ保持具に、前後方向の回転移動が可能な角度調節具を設置することができる。
【発明の効果】
【００１１】
本発明に従い前記アーム機構と前記アーム回動部とを設けたことで、重量の嵩むディスプレイであっても、容易に、且つ正確に角度調節を行うことができる。
【００１２】
また、前記操作レバーを水平方向にスライドさせることにより、ディスプレイに触れることなく左右方向に回転移動させることができる。また、前記操作レバーを操作装置本体の両側面に具備することで、病院等で使用する際、キャビネットをベッドの左右、どちら側に配設させても操作が可能になる。
【００１３】
さらに、前記アーム回動部を前記自動回動部とすることにより、角度調節の自動操作も可能になる。
【００１４】
さらにまた、前記角度調節具を設置することで、例えば、横臥した状態でも好適に視聴できる角度を設定することができる。
【発明を実施するための最良の形態】
【００１５】
以下、本発明のディスプレイ操作装置における実施の形態を図面に基づいて説明する。
図１に示す本発明の好適例であるディスプレイ操作装置１は、例えば、病院の病室に配置され、ベッドサイドのキャビネット２に装着された操作装置本体３と、この操作装置本体３内に具備された、クロスさせた二本のアームにてディスプレイＡの向きを変えるアーム機構１０と、このアーム機構１０を可動させるアーム回動部２０と、を備えている。
【００１６】
本発明におけるディスプレイ操作装置１は、ディスプレイ本体に触れることなく左右方向の回転移動が可能であり、また、前後方向の回転移動を実現することで、理想的な角度で視聴することができる。よって、病室や事務所、教室や公共施設等に備え付けられるテレビ等のディスプレイの角度を調節するのに好適である。なお、図示するディスプレイ操作装置１は、例えば、病院の病室に設置されているベッドサイドのキャビネット２での使用状態を示す。
【００１７】
図示する操作装置本体３は、縦部体４と横部体５からなる略Ｌ字状の箱型形状を呈しており、ベッドサイドのキャビネット２に装着されている。また、縦部体４の前面と横部体５の上面には、それぞれ蓋体（図示せず）が被覆される。
【００１８】
アーム機構１０は、後述詳細のアーム回動部２０により左右方向に回動移動する第一アーム体１１と、第一アーム体１１にクロスされた状態で配設される第二アーム体１５と、第一アーム体１１と第二アーム体１５の先端に装着されたディスプレイ保持具３０とで構成されている。
【００１９】
第一アーム体１１は、中空状のパイプを折曲して形成されており、縦部体４に遊動状態に支持されている第一垂直軸１２と、平面視で逆く字状に折曲された水平軸１３と、先端にディスプレイ保持具３０を装着した第二垂直軸１４とからなる。
【００２０】
第二アーム体１５は、中空状のパイプを折曲して形成されており、縦部体４に遊動状態に支持されている第一垂直軸１６と、平面視でく字状に折曲された水平軸１７と、先端にディスプレイ保持具３０を装着した第二垂直軸１８とからなる。なお、第二アーム体１５の第一垂直軸１６はフリーな状態で縦部体４に遊着されている。
【００２１】
また、第一アーム体１１と第二アーム体１５は、水平軸１３と水平軸１７の部分において、第一アーム体１１の水平軸１３が上方になるようにクロス状に配設されている。第一アーム体１１と第二アーム体１５をクロス状に配設することで、ディスプレイＡを左右方向に回転移動させた際でも、ディスプレイＡを常に前面に配設させることができる。また、ディスプレイ保持具３０を二本のアーム体にて保持することで、重量の嵩むディスプレイにおいても、容易に、且つ確実に左右方向に回転移動させることができる。
【００２２】
アーム回動部２０は、第一アーム体１１を左右方向に回転させるもので、第一垂直軸１２の基端に固定された駆動軸２１と、駆動軸２１の先端を摺動させる長孔２２を形成した操作材２３と、操作材２３を固定する移動板２５と、かかる移動板２５を左右方向に移動させる操作レバー２６とで構成されている。
【００２３】
駆動軸２１は長尺棒状を呈しており、一端は第一垂直軸１２の基端に固定されている。一方、駆動軸２１の他端（先端）には、操作材２３の長孔２２内を摺動する摺動材２４が設置されている。
【００２４】
操作材２３の中央部には長孔２２が穿孔されており、移動板２５に適宜角度を有した状態で固定されている。操作材２３を適宜角度を有した状態で固定することで、移動板２５が移動した際、駆動軸２１先方を左右方向に移動することができる。これにより、第一アーム体１１の第一垂直軸１２を左右方向に回転させることが可能になる。
【００２５】
移動板２５は、操作装置本体３の横部体５内をレール２７を介して水平方向に移動自在とするもので、上面には、操作材２３が、側面には操作レバー２６が固定されている。また、操作レバー２６は、横部体５の側面に穿孔された長孔部６を介して操作装置本体３の外部に配設されている。
【００２６】
この操作レバー２６は、横部体５の両側面に設けることが望ましい。操作レバー２６を横部体５の両側面に設けることで、図５に示すように、キャビネット２をベッドＢの左右どちら側に配設させても、ディスプレイＡの角度調節の操作が可能になる。
【００２７】
ディスプレイ保持具３０は、テレビ等のディスプレイＡを保持するもので、第一アーム体１１の第二垂直軸１４と、第二アーム体１５の第二垂直軸１８の先端部分に回動自在に設置されている。
【００２８】
ディスプレイ保持具３０は、図４に示すように、ケース体３１と、ケース体３１の前面に設置された保持板３２とで構成されている。また、特に、ディスプレイ保持具３０に、保持板３２を前後方向の回転移動を可能にする角度調節具３３を具備することが望ましい。この角度調節具３３は、例えば、ヒンジダンパーとすることで、手動によりディスプレイＡの前後方向の回転移動を容易に行うことができる。かかる角度調節具３３を設けることで、横臥状態でも最適な角度でディスプレイＡを視聴することが可能になる。
【００２９】
次に、本発明のディスプレイ操作装置１のアーム機構１０によるディスプレイＡの回転移動の操作方法を図２の（ａ）、（ｂ）および（ｃ）に基づいて説明する。
【００３０】
（ａ）に示す状態は、ディスプレイＡが正面に配設された状態を示す。この際、操作レバー２６は、横部体５に穿孔された長孔部６の略中央部分に位置している。
【００３１】
（ｂ）に示す状態は、ディスプレイＡを平面視で右側に回転移動させた状態を示す。この状態にするには、操作レバー２６を縦部体４側（矢印ａ）に水平移動させる。すると、移動板２５の移動とともに操作材２３が移動し、それに伴い、駆動軸２１の摺動材２４が長孔２２内を摺動し矢印ｂ方向に移動する。駆動軸２１が矢印ｂ方向に移動すると、駆動軸２１の基端に固定された第一アーム体１１の第一垂直軸１２が矢印ｃ方向に回転し、ディスプレイＡを右側に移動させることが可能となる。
【００３２】
（ｃ）に示す状態は、ディスプレイＡを平面視で左側に回転移動させた状態を示す。この状態にするためには、操作レバー２６を前方側（矢印ｄ）に水平移動させると、移動板２５の移動とともに操作材２３が移動し、それに伴い、駆動軸２１の摺動材２４が長孔２２内を摺動し矢印ｅ方向に移動する。駆動軸２１が矢印ｅ方向に移動すると、駆動軸２１の基端に固定された第一アーム体１１の第一垂直軸１２が矢印ｆ方向に回転し、ディスプレイＡを左側に移動させることが可能となる。
【００３３】
なお、ディスプレイ保持具３０は、二本のアーム体にて保持されているので、重量の嵩むディスプレイにおいても、容易に、且つ確実に左右方向に回転移動させることができる。また、第一アーム体１１の水平部１３は平面視で逆く字状に、第二アーム体１５の水平部１７はく字状に、それぞれ適宜角度を有して屈曲されていると共に、第二アーム体１５は、フリーな状態で縦部体４に回動自在に装着されているため、ディスプレイＡの表面が常に前面に配設される。
【００３４】
次に、図３に本発明の他の好適例のディスプレイ操作装置を示す。この他の好適例のディスプレイ操作装置は、図３に示すように、アーム機構１０に、第一アーム体１２の回転を自動的に行う自動回動部４０を設けてある。この自動回動部４０は、横部体５内に収容されたモータ４１と、このモータ４１の回転を第一アーム体１１の第一垂直軸１２に伝える扇状の連結ギヤ４２とからなる。
【００３５】
連結ギヤ４２の一端は第一垂直軸１２の基端に固定されており、他端はモータ４１のギヤと噛合されている。これにより、モータ４１を作動することで、連結ギヤ４２が回動して第一アーム体１１を回転させることができる。また、連結ギヤ４２の両側にはマイクロスイッチ４３が設置されているため、第一アーム体１２を左右方向に回転移動させることができる。なお、自動回動部４０を設けたことにより、操作装置本体３を小形状に形成することも可能になる。
【図面の簡単な説明】
【００３６】
【図１】本発明の好適例であるディスプレイ操作装置の全体図である。
【図２】（ａ）、（ｂ）および（ｃ）はアーム機構によるディスプレイの回転移動を示す説明図である。
【図３】本発明の他の好適例であるディスプレイ操作装置の全体図である。
【図４】ディスプレイ保持具の側面図である。
【図５】ディスプレイ操作装置の使用状態を示す説明図である。
【符号の説明】
【００３７】
１    ディスプレイ操作装置
２    キャビネット
３    操作装置本体
４    縦部体
５    横部体
６    長孔部
１０  アーム機構
１１  第一アーム体
１２  第一垂直軸
１３  水平軸
１４  第二垂直軸
１５  第二アーム体
１６  第一垂直軸
１７  水平軸
１８  第二垂直軸
２０  アーム回動部
２１  駆動軸
２２  長孔
２３  操作材
２４  摺動材
２５  移動板
２６  操作レバー
２７  レール
３０  ディスプレイ保持具
３１  ケース体
３２  保持板
３３  角度調節具
４０  自動回動部
４１  モータ
４２  連結ギヤ
４３  マイクロスイッチ
Ａ    ディスプレイ
Ｂ    ベッド
【図１】
2009118047.tif 000003
【図２】
2009118047.tif 000004
【図３】
2009118047.tif 000005
【図４】
2009118047.tif 000006
【図５】
2009118047.tif 000007